(57)【特許請求の範囲】
【請求項１】
カントリーエレベーター、リバーエレベーター及びエクスポートエレベーターを経て、一国の生産者から他国の港湾サイロまで農作物群がバルク輸送される場合に、記憶部を具備するコンピュータを用いて当該農作物群の流通を管理する農作物流通管理方法であって、
前記コンピュータが、
カントリーエレベーターによって発行され、リバーエレベーターに対して送付された、当該カントリーエレベーターが農作物群の分別管理を行ったことを示す第１証明書に関する第１証明書情報を前記記憶部に記憶する第１証明書情報記憶工程と、
リバーエレベーターによって発行され、エクスポートエレベーターに対して送付された、当該リバーエレベーターが農作物群の分別管理を行ったことを示す第２証明書に関する第２証明書情報を前記記憶部に記憶する第２証明書情報記憶工程と、
エクスポートエレベーターによって発行され、港湾サイロに対して送付された、当該エクスポートエレベーターが農作物群の分別管理を行ったことを示す第３証明書に関する第３証明書情報を前記記憶部に記憶する第３証明書情報記憶工程と、
港湾サイロにおける農作物群の遺伝子検査の結果を示す検査結果情報を前記記憶部に記憶する検査結果情報記憶工程と、
前記記憶部に記憶されている検査結果情報を参照し、遺伝子組み換え農作物が所定量以上含まれている農作物群を特定する農作物群特定工程と、
前記記憶部に記憶されている第１証明書情報、第２証明書情報及び第３証明書情報に基づいて、前記農作物群特定工程により特定された農作物群が、何れのカントリーエレベーター、リバーエレベーター及びエクスポートエレベーターを経たのかを特定するエレベーター特定工程と、
前記エレベーター特定工程によって特定されたカントリーエレベーター、リバーエレベーター及びエクスポートエレベーターを含む流通ルートを、遺伝子組み換え農作物混入の可能性がある混入可能性流通ルートと判別する混入可能性流通ルート判別工程と、
各カントリーエレベーター、リバーエレベーター及びエクスポートエレベーターが、前記混入可能性流通ルート判別工程によって混入可能性流通ルートと判別された流通ルートに含まれる回数を特定し、その特定した回数に基づいて、各カントリーエレベーター、リバーエレベーター及びエクスポートエレベーターについて遺伝子組み換え農作物混入の可能性が高いエレベーターであるか否かを推定する推定工程と
を実行する、農作物流通管理方法。
【請求項２】
前記推定工程において、前記コンピュータが、流通ルートの下流側に位置するエレベーターに対しては緩い判定基準を用い、上流側に位置するエレベーターに対しては厳しい判定基準を用いて、遺伝子組み換え農作物混入の可能性が高いエレベーターを推定する、請求項１に記載の農作物流通管理方法。
【請求項３】
前記コンピュータが、カントリーエレベーター、リバーエレベーター及びエクスポートエレベーターにおける遺伝子組み換え農作物の搬出履歴に関する搬出履歴情報を前記記憶部に記憶する搬出履歴情報記憶工程を更に実行し、
前記推定工程において、前記コンピュータが、前記特定した回数及び前記記憶部に記憶されている搬出履歴情報に基づいて、遺伝子組み換え農作物混入の可能性が高いエレベーターを推定する、請求項１又は２に記載の農作物流通管理方法。
【請求項４】
前記コンピュータが、カントリーエレベーター、リバーエレベーター及びエクスポートエレベーターにおけるクリーニングの実施履歴に関する実施履歴情報を前記記憶部に記憶する実施履歴情報記憶工程を更に実行し、
前記推定工程において、前記コンピュータが、前記特定した回数及び前記記憶部に記憶されている実施履歴情報に基づいて、遺伝子組み換え農作物混入の可能性が高いエレベーターを推定する、請求項１又は２に記載の農作物流通管理方法。
【請求項５】
前記コンピュータが、前記特定した回数に基づいて、遺伝子組み換え農作物混入の可能性が低い流通ルートを特定する優良流通ルート特定工程を更に実行する、請求項１乃至４の何れかに記載の農作物流通管理方法。
【請求項６】
カントリーエレベーター、リバーエレベーター及びエクスポートエレベーターを経て、一国の生産者から他国の港湾サイロまで農作物群がバルク輸送される場合に、当該農作物群の流通を管理する農作物流通管理装置であって、
カントリーエレベーターによって発行され、リバーエレベーターに対して送付された、当該カントリーエレベーターが農作物群の分別管理を行ったことを示す第１証明書に関する第１証明書情報を記憶する第１証明書情報記憶手段と、
リバーエレベーターによって発行され、エクスポートエレベーターに対して送付された、当該リバーエレベーターが農作物群の分別管理を行ったことを示す第２証明書に関する第２証明書情報を記憶する第２証明書情報記憶手段と、
エクスポートエレベーターによって発行され、港湾サイロに対して送付された、当該エクスポートエレベーターが農作物群の分別管理を行ったことを示す第３証明書に関する第３証明書情報を記憶する第３証明書情報記憶手段と、
港湾サイロにおける農作物群の遺伝子検査の結果を示す検査結果情報を記憶する検査結果情報記憶手段と、
前記検査結果情報記憶手段によって記憶された検査結果情報を参照し、遺伝子組み換え農作物が所定量以上含まれている農作物群を特定する農作物群特定手段と、
前記第１証明書情報記憶手段、前記第２証明書情報記憶手段及び前記第３証明書情報記憶手段によってそれぞれ記憶された第１証明書情報、第２証明書情報及び第３証明書情報に基づいて、前記農作物群特定手段により特定された農作物群が、何れのカントリーエレベーター、リバーエレベーター及びエクスポートエレベーターを経たのかを特定するエレベーター特定手段と、
前記エレベーター特定手段によって特定されたカントリーエレベーター、リバーエレベーター及びエクスポートエレベーターを含む流通ルートを、遺伝子組み換え農作物混入の可能性がある混入可能性流通ルートと判別する混入可能性流通ルート判別手段と、
各カントリーエレベーター、リバーエレベーター及びエクスポートエレベーターが、前記混入可能性流通ルート判別手段によって混入可能性流通ルートと判別された流通ルートに含まれる回数を特定し、その特定した回数に基づいて、各カントリーエレベーター、リバーエレベーター及びエクスポートエレベーターについて遺伝子組み換え農作物混入の可能性が高いエレベーターであるか否かを推定する推定手段と
を備える、農作物流通管理装置。
【請求項７】
前記推定手段が、流通ルートの下流側に位置するエレベーターに対しては緩い判定基準を用い、上流側に位置するエレベーターに対しては厳しい判定基準を用いて、遺伝子組み換え農作物混入の可能性が高いエレベーターを推定するように構成されている、請求項６に記載の農作物流通管理装置。
【請求項８】
カントリーエレベーター、リバーエレベーター及びエクスポートエレベーターにおける遺伝子組み換え農作物の搬出履歴に関する搬出履歴情報を記憶する搬出履歴情報記憶手段を更に備え、
前記推定手段が、前記特定した回数及び前記搬出履歴情報記憶手段によって記憶された搬出履歴情報に基づいて、遺伝子組み換え農作物混入の可能性が高いエレベーターを推定するように構成されている、請求項６又は７に記載の農作物流通管理装置。
【請求項９】
カントリーエレベーター、リバーエレベーター及びエクスポートエレベーターにおけるクリーニングの実施履歴に関する実施履歴情報を記憶する実施履歴情報記憶手段を更に備え、
前記推定手段が、前記特定した回数及び前記実施履歴情報記憶手段によって記憶された実施履歴情報に基づいて、遺伝子組み換え農作物混入の可能性が高いエレベーターを推定するように構成されている、請求項６又は７に記載の農作物流通管理装置。
【請求項１０】
前記特定した回数に基づいて、遺伝子組み換え農作物混入の可能性が低い流通ルートを特定する優良流通ルート特定手段を更に備える、請求項６乃至９の何れかに記載の農作物流通管理装置。
【発明の詳細な説明】
【技術分野】
【０００１】
本発明は、一国の生産者から他国の港湾サイロまで農作物群がバルク輸送される場合における農作物の流通を管理する農作物流通管理方法及び農作物流通管理装置に関する。
【背景技術】
【０００２】
日本国内で流通している遺伝子組み換え農作物（以下、「ＧＭ作物（Genetically
Modified Organism）」という）を用いた遺伝子組み換え食品は、食品衛生法による安全性審査を通過し、更にＪＡＳ法（農林物資の規格化及び品質表示の適正化に関する法律）による表示基準を満たさなければならない。この表示基準にしたがって非ＧＭ作物であることを表示するために必要となるのが、ＩＰハンドリング（Identity Preserving Handling：分別精算流通管理）と呼ばれる手法である。このＩＰハンドリングとは、農作物群がバルク輸送される際に、フード・チェーンの各段階で証明書の発行及びその認証を繰り返すことによって、当該農作物群にＧＭ作物が混入されていないことを証明するための管理方法である。
【０００３】
非特許文献１に開示されているように、上記のＩＰハンドリングにおいては、農家から港湾サイロへ向かう間に、カントリーエレベーター、リバーエレベーター及びエクスポートエレベーターを経由する。このとき、各エレベーターにおいて証明書が発行され、この証明書によって当該各エレベーターにおいて適切な分別処理が実施されたことが確認される。
【先行技術文献】
【特許文献】
【０００４】
【非特許文献１】財団法人食品産業センター、「アメリカ及びカナダ産のバルク輸送非遺伝子組換え原料（大豆、とうもろこし）確保のための流通マニュアル」、農林水産省総合食料局品質課、2001年12月
【発明の概要】
【発明が解決しようとする課題】
【０００５】
しかしながら、クリーニングが不十分な場合等、何らかの理由によって、証明書が発行されたものの、一定量以上のＧＭ作物が輸送対象の農作物群に混入されてしまう場合がある。この場合に、どの段階でＧＭ作物の混入がなされたのかが判明せず、混入の可能性の高い段階を特定することができないという問題があった。
【０００６】
本発明は斯かる事情に鑑みてなされたものであり、その主たる目的は、ＩＰハンドリングにしたがって農作物群がバルク輸送される場合において、どの段階で当該農作物群にＧＭ作物が混入される可能性が高いのかを推定することができる農作物流通管理方法及び農作物流通管理装置を提供することにある。
【課題を解決するための手段】
【０００７】
上述した課題を解決するために、本発明の一の態様の農作物流通管理方法は、カントリーエレベーター、リバーエレベーター及びエクスポートエレベーターを経て、一国の生産者から他国の港湾サイロまで農作物群がバルク輸送される場合に、記憶部を具備するコンピュータを用いて当該農作物群の流通を管理する農作物流通管理方法であって、前記コンピュータが、カントリーエレベーターによって発行され、リバーエレベーターに対して送付された、当該カントリーエレベーターが農作物群の分別管理を行ったことを示す第１証明書に関する第１証明書情報を前記記憶部に記憶する第１証明書情報記憶工程と、リバーエレベーターによって発行され、エクスポートエレベーターに対して送付された、当該リバーエレベーターが農作物群の分別管理を行ったことを示す第２証明書に関する第２証明書情報を前記記憶部に記憶する第２証明書情報記憶工程と、エクスポートエレベーターによって発行され、港湾サイロに対して送付された、当該エクスポートエレベーターが農作物群の分別管理を行ったことを示す第３証明書に関する第３証明書情報を前記記憶部に記憶する第３証明書情報記憶工程と、港湾サイロにおける農作物群の遺伝子検査の結果を示す検査結果情報を前記記憶部に記憶する検査結果情報記憶工程と、前記記憶部に記憶されている検査結果情報を参照し、遺伝子組み換え農作物が所定量以上含まれている農作物群を特定する農作物群特定工程と、前記記憶部に記憶されている第１証明書情報、第２証明書情報及び第３証明書情報に基づいて、前記農作物群特定工程により特定された農作物群が、何れのカントリーエレベーター、リバーエレベーター及びエクスポートエレベーターを経たのかを特定するエレベーター特定工程と、前記エレベーター特定工程によって特定されたカントリーエレベーター、リバーエレベーター及びエクスポートエレベーターを含む流通ルートを、遺伝子組み換え農作物混入の可能性がある混入可能性流通ルートと判別する混入可能性流通ルート判別工程と、各カントリーエレベーター、リバーエレベーター及びエクスポートエレベーターが、前記混入可能性流通ルート判別工程によって混入可能性流通ルートと判別された流通ルートに含まれる回数を特定し、その特定した回数に基づいて、各カントリーエレベーター、リバーエレベーター及びエクスポートエレベーターについて遺伝子組み換え農作物混入の可能性が高いエレベーターであるか否かを推定する推定工程とを実行する。
【０００８】
前記態様における前記推定工程において、前記コンピュータが、流通ルートの下流側に位置するエレベーターに対しては緩い判定基準を用い、上流側に位置するエレベーターに対しては厳しい判定基準を用いて、遺伝子組み換え農作物混入の可能性が高いエレベーターを推定するようにしてもよい。
【０００９】
また、前記態様において、前記コンピュータが、カントリーエレベーター、リバーエレベーター及びエクスポートエレベーターにおける遺伝子組み換え農作物の搬出履歴に関する搬出履歴情報を前記記憶部に記憶する搬出履歴情報記憶工程を更に実行し、前記推定工程において、前記コンピュータが、前記特定した回数及び前記記憶部に記憶されている搬出履歴情報に基づいて、遺伝子組み換え農作物混入の可能性が高いエレベーターを推定するようにしてもよい。
【００１０】
また、前記態様において、前記コンピュータが、カントリーエレベーター、リバーエレベーター及びエクスポートエレベーターにおけるクリーニングの実施履歴に関する実施履歴情報を前記記憶部に記憶する実施履歴情報記憶工程を更に実行し、前記推定工程において、前記コンピュータが、前記特定した回数及び前記記憶部に記憶されている実施履歴情報に基づいて、遺伝子組み換え農作物混入の可能性が高いエレベーターを推定するようにしてもよい。
【００１１】
まが、前記態様において、前記コンピュータが、前記特定した回数に基づいて、遺伝子組み換え農作物混入の可能性が低い流通ルートを特定する優良流通ルート特定工程を更に実行するようにしてもよい。
【００１２】
本発明の一の態様の承認方法は、カントリーエレベーター、リバーエレベーター及びエクスポートエレベーターを経て、一国の生産者から他国の港湾サイロまで農作物群がバルク輸送される場合に、当該農作物群の流通を管理する農作物流通管理装置であって、カントリーエレベーターによって発行され、リバーエレベーターに対して送付された、当該カントリーエレベーターが農作物群の分別管理を行ったことを示す第１証明書に関する第１証明書情報を記憶する第１証明書情報記憶手段と、リバーエレベーターによって発行され、エクスポートエレベーターに対して送付された、当該リバーエレベーターが農作物群の分別管理を行ったことを示す第２証明書に関する第２証明書情報を記憶する第２証明書情報記憶手段と、エクスポートエレベーターによって発行され、港湾サイロに対して送付された、当該エクスポートエレベーターが農作物群の分別管理を行ったことを示す第３証明書に関する第３証明書情報を記憶する第３証明書情報記憶手段と、港湾サイロにおける農作物群の遺伝子検査の結果を示す検査結果情報を記憶する検査結果情報記憶手段と、前記検査結果情報記憶手段によって記憶された検査結果情報を参照し、遺伝子組み換え農作物が所定量以上含まれている農作物群を特定する農作物群特定手段と、前記第１証明書情報記憶手段、前記第２証明書情報記憶手段及び前記第３証明書情報記憶手段によってそれぞれ記憶された第１証明書情報、第２証明書情報及び第３証明書情報に基づいて、前記農作物群特定手段により特定された農作物群が、何れのカントリーエレベーター、リバーエレベーター及びエクスポートエレベーターを経たのかを特定するエレベーター特定手段と、前記エレベーター特定手段によって特定されたカントリーエレベーター、リバーエレベーター及びエクスポートエレベーターを含む流通ルートを、遺伝子組み換え農作物混入の可能性がある混入可能性流通ルートと判別する混入可能性流通ルート判別手段と、各カントリーエレベーター、リバーエレベーター及びエクスポートエレベーターが、前記混入可能性流通ルート判別手段によって混入可能性流通ルートと判別された流通ルートに含まれる回数を特定し、その特定した回数に基づいて、各カントリーエレベーター、リバーエレベーター及びエクスポートエレベーターについて遺伝子組み換え農作物混入の可能性が高いエレベーターであるか否かを推定する推定手段とを備える。
【００１３】
前記態様において、前記推定手段が、流通ルートの下流側に位置するエレベーターに対しては緩い判定基準を用い、上流側に位置するエレベーターに対しては厳しい判定基準を用いて、遺伝子組み換え農作物混入の可能性が高いエレベーターを推定するように構成されていてもよい。
【００１４】
また、前記態様の農作物流通管理装置が、カントリーエレベーター、リバーエレベーター及びエクスポートエレベーターにおける遺伝子組み換え農作物の搬出履歴に関する搬出履歴情報を記憶する搬出履歴情報記憶手段を更に備え、前記推定手段が、前記特定した回数及び前記搬出履歴情報記憶手段によって記憶された搬出履歴情報に基づいて、遺伝子組み換え農作物混入の可能性が高いエレベーターを推定するように構成されていてもよい。
【００１５】
また、前記態様の農作物流通管理装置が、カントリーエレベーター、リバーエレベーター及びエクスポートエレベーターにおけるクリーニングの実施履歴に関する実施履歴情報を記憶する実施履歴情報記憶手段を更に備え、前記推定手段が、前記特定した回数及び前記実施履歴情報記憶手段によって記憶された実施履歴情報に基づいて、遺伝子組み換え農作物混入の可能性が高いエレベーターを推定するように構成されていてもよい。
【００１６】
さらに、前記態様の農作物流通管理装置が、前記特定した回数に基づいて、遺伝子組み換え農作物混入の可能性が低い流通ルートを特定する優良流通ルート特定手段を更に備えていてもよい。
【発明の効果】
【００１７】
本発明に係る農作物流通管理方法及び農作物流通管理装置によれば、農作物群がバルク輸送される間に経由する各エレベーターのうち遺伝子組み換え農作物の混入が起こりやすいエレベーターを特定することが可能になる。
【図面の簡単な説明】
【００１８】
【図１】ＩＰハンドリングに基づいて農作物群がバルク輸送される場合の流通過程を示す説明図。
【図２】本発明の実施の形態の農作物流通管理システムの構成を示すブロック図。
【図３】本発明の実施の形態の農作物流通管理装置の構成を示すブロック図。
【図４】本発明の実施の形態の農作物流通管理装置に設けられているカントリーエレベーター情報マスターデータベースのレイアウトの一例を示す図。
【図５】本発明の実施の形態の農作物流通管理装置に設けられているカントリーエレベーター情報データベースのレイアウトの一例を示す図。
【図６】本発明の実施の形態の農作物流通管理装置に設けられているリバーエレベーター情報マスターデータベースのレイアウトの一例を示す図。
【図７】本発明の実施の形態の農作物流通管理装置に設けられているリバーエレベーター情報データベースのレイアウトの一例を示す図。
【図８】本発明の実施の形態の農作物流通管理装置に設けられているエクスポートエレベーター情報マスターデータベースのレイアウトの一例を示す図。
【図９】本発明の実施の形態の農作物流通管理装置に設けられているエクスポートエレベーター情報データベースのレイアウトの一例を示す図。
【図１０】本発明の実施の形態の農作物流通管理装置に設けられている港湾サイロ情報マスターデータベースのレイアウトの一例を示す図。
【図１１】本発明の実施の形態の農作物流通管理装置に設けられている港湾サイロ情報データベースのレイアウトの一例を示す図。
【図１２】本発明の実施の形態の農作物流通管理装置に設けられている流通ルート情報データベースのレイアウトの一例を示す図。
【図１３】カントリーエレベーター側で操作される端末装置の表示装置に表示される入力画面例を示す図。
【図１４】リバーエレベーター側で操作される端末装置の表示装置に表示される入力画面例を示す図。
【図１５】エクスポートエレベーター側で操作される端末装置の表示装置に表示される入力画面例を示す図。
【図１６】港湾サイロ側で操作される端末装置の表示装置に表示される入力画面例を示す図。
【図１７】本発明の実施の形態の農作物流通管理装置が実行する流通ルート情報更新処理の手順を示すフローチャート。
【図１８】本発明の実施の形態の農作物流通管理装置が実行する農家良否判定処理の手順を示すフローチャート。
【図１９】本発明の実施の形態の農作物流通管理装置が実行するＣＥ良否判定処理の手順を示すフローチャート。
【図２０】本発明の実施の形態の農作物流通管理装置が実行するＲＥ良否判定処理の手順を示すフローチャート。
【図２１】本発明の実施の形態の農作物流通管理装置が実行するＥＥ良否判定処理の手順を示すフローチャート。
【図２２】本発明の実施の形態の農作物流通管理装置が実行する優良流通ルート探索処理の手順を示すフローチャート。
【図２３】本発明の実施の形態の農作物流通管理装置が実行する農家向けレポート情報生成処理の手順を示すフローチャート。
【図２４】農家向けレポート情報の一例を示す図。
【図２５】本発明の実施の形態の農作物流通管理装置が実行する流通ルート情報更新処理の手順の他の例を示すフローチャート。
【図２６】本発明の実施の形態の農作物流通管理装置が実行する流通ルート情報更新処理の手順の他の例を示すフローチャート。
【発明を実施するための形態】
【００１９】
以下、本発明の好ましい実施の形態について、図面を参照しながら説明する。なお、以下に示す実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００２０】
図１は、ＩＰハンドリングに基づいて農作物群がバルク輸送される場合の流通過程を示す説明図である。図１に示すとおり、この流通過程では、農作物の生産者である米国における複数の農家Ｆ１乃至Ｆ１２，…と、これらの農家Ｆ１乃至Ｆ１２，…の少なくとも何れかから農作物群の搬入を受けてこれを保管する複数のカントリーエレベーターＣ１乃至Ｃ４，…と、これらのカントリーエレベーターＣ１乃至Ｃ４，…の少なくとも何れかから農作物群の搬入を受けてこれを保管する複数のリバーエレベーターＲ１乃至Ｒ４，…と、これらのリバーエレベーターＲ１，Ｒ２，…の少なくとも何れかから農作物群の搬入を受けてこれを保管する複数のエクスポートエレベーターＥ１，Ｅ２，…と、これらの複数のエクスポートエレベーターＥ１，Ｅ２，…の少なくとも何れかから農作物群の搬入を受けてこれを保管する日本の港Ｐと、港Ｐを介して農作物群の搬入を受ける港湾サイロＳとが登場する。これらの各流通段階において証明書が発行され、次の段階に農作物群が搬送される際に当該証明書が併せて送付される。後述するように、本実施の形態では、カントリーエレベーターＣ１乃至Ｃ４，…、リバーエレベーターＲ１，Ｒ２，…、及びエクスポートエレベーターＥ１，Ｅ２，…の各エレベーターにおいて発行される証明書に基づいて、農家Ｆ１乃至Ｆ１２，…から港湾サイロＳまでの流通ルートを特定する。
【００２１】
なお、図１には、港湾サイロＳまでの流通過程しか示されていないが、港湾サイロＳ以降、農作物群は、卸売業者倉庫又は中間加工製品製造業者を経て、食品製造業者製造工場に供給される。ＩＰハンドリングに基づく場合、これらの卸売業者倉庫及び中間加工製品製造業者においても、証明書が発行され、食品製造業者製造工場に送付されることになる。
【００２２】
［農作物流通管理システムの構成］
図２は、本発明の実施の形態の農作物流通管理システムの構成を示すブロック図である。図２に示すとおり、本実施の形態の農作物流通管理システムは、農家Ｆ１乃至Ｆ１２，…から港湾サイロＳまでの農作物群の流通を管理する農作物流通管理装置１と、農家Ｆ１乃至Ｆ１２，…側、カントリーエレベーターＣ１乃至Ｃ４，…、リバーエレベーターＲ１，Ｒ２，…、及びエクスポートエレベーターＥ１，Ｅ２，…の各エレベーター側、並びに港湾サイロＳ側で操作されるパーソナルコンピュータ及び携帯型電話機等の端末装置２，２，…とを備えている。これらの農作物流通管理装置１と端末装置２，２，…とは、インターネット等の通信ネットワークＮＴＷを介して通信可能に接続される。
【００２３】
［農作物流通管理装置の構成］
次に、上記の農作物流通管理装置１の構成の詳細について説明する。
図３は、本発明の実施の形態の農作物流通管理装置１の構成を示すブロック図である。図３に示すように、コンピュータ（農作物流通管理装置）１は、本体１００と、キーボード及びマウスからなる入力部１０１と、ＬＣＤまたはＣＲＴ等で構成されたディスプレイ１０２とを備えている。本体１００は、ＣＰＵ１０、ＲＯＭ１１、ＲＡＭ１２、ハードディスク１３、入出力インタフェース（Ｉ／Ｆ）１４、画像出力インタフェース（Ｉ／Ｆ）１５、通信インタフェース（Ｉ／Ｆ）１６を備えており、これらのＣＰＵ１０、ＲＯＭ１１、ＲＡＭ１２、ハードディスク１３、入出力Ｉ／Ｆ１４、画像出力Ｉ／Ｆ１５及び通信Ｉ／Ｆ１６は、バス１７によって接続されている。
【００２４】
ＣＰＵ１０は、ＲＡＭ１２にロードされた各種のコンピュータプログラムを実行する。これにより、コンピュータ１が本実施の形態の農作物流通管理装置１として機能することになる。
【００２５】
ＲＯＭ１１は、マスクＲＯＭ、ＰＲＯＭ、ＥＰＲＯＭ（Erasable PROM）、又はＥＥＰＲＯＭ（Electrically Erasable PROM）等によって構成されており、ＣＰＵ１０にて実行されるコンピュータプログラム及びその実行の際に用いられるデータ等が記憶されている。
【００２６】
ＲＡＭ１２は、ＳＲＡＭ又はＤＲＡＭなどによって構成されている。このＲＡＭ１２は、ハードディスク１３に記憶されている各種のコンピュータプログラムの読み出し等に用いられる。また、ＣＰＵ１０が各種のコンピュータプログラムを実行するときに、ＣＰＵ１０の作業領域としても利用される。
【００２７】
ハードディスク１３には、オペレーティングシステム及びアプリケーションプログラムなど、ＣＰＵ１０に実行させるための各種のコンピュータプログラム及び当該コンピュータプログラムの実行に用いられるデータ等が予めインストールされている。また、このハードディスク１３には、カントリーエレベーター（ＣＥ）情報マスターデータベース（ＤＢ）１３Ａ、カントリーエレベーター（ＣＥ）情報データベース（ＤＢ）１３Ｂ、リバーエレベーター（ＲＥ）情報マスターデータベース（ＤＢ）１３Ｃ、リバーエレベーター（ＲＥ）情報データベース（ＤＢ）１３Ｄ、エクスポートエレベーター（ＥＥ）情報マスターデータベース（ＤＢ）１３Ｅ、エクスポートエレベーター（ＥＥ）情報データベース（ＤＢ）１３Ｆ、港湾サイロ情報マスターデータベース（ＤＢ）１３Ｇ、港湾サイロ情報データベース（ＤＢ）１３Ｈ、及び流通ルート情報データベース（ＤＢ）１２Ｉが設けられている。これらの各データベースの詳細については後述する。
【００２８】
また、ハードディスク１３には、例えば米マイクロソフト社が製造販売するWindows（登録商標）などのマルチタスクオペレーティングシステムがインストールされている。以下の説明においては、各種のコンピュータプログラムが当該オペレーティングシステム上で動作するものとしている。
【００２９】
入出力Ｉ／Ｆ１４は、例えばUSB，IEEE1394，又はRS-232Cなどのシリアルインタフェース、SCSI，IDE，又はIEEE1284などのパラレルインタフェース、及びＤ／Ａ変換器、Ａ／Ｄ変換器などからなるアナログインタフェース等から構成されている。この入出力Ｉ／Ｆ１４には、入力部１０１が接続されており、ユーザが当該入力部１０１を操作することにより、コンピュータ１にデータを入力することが可能になる。
【００３０】
画像出力Ｉ／Ｆ１５は、ディスプレイ１０２に接続されており、この画像出力Ｉ／Ｆ１５を介してＣＰＵ１０から画像データに応じた映像信号等がディスプレイ１０２に与えられる。ディスプレイ１０２は、ＣＰＵ１０より入力された映像信号等にしたがって、画像（画面）を表示する。
【００３１】
通信Ｉ／Ｆ１６は、通信ネットワークＮＴＷを介して農作物流通管理装置１が外部の装置と通信するためのインタフェース装置である。農作物流通管理装置１は、この通信Ｉ／Ｆ１６を介して、端末２，２，…との間で各種のデータの送受信を行う。
【００３２】
以下、ハードディスク１３に設けられている各データベースの詳細について説明する。
（Ａ）ＣＥ情報マスターＤＢ１３Ａ
図４は、本発明の実施の形態の農作物流通管理装置１に設けられているＣＥ情報マスターＤＢ１３Ａのレイアウトの一例を示す図である。図４に示すように、ＣＥ情報マスターＤＢ１３Ａは、バルク輸送の対象である農作物群を識別するための第１ロット番号が格納される第１ロット番号フィールド１０１、搬送元のカントリーエレベーターの名称が格納されるＣＥ名称フィールド１０２、搬送元から搬送先へ農作物群が搬送される予定日が格納される搬送予定日フィールド１０３、搬送先のリバーエレベーターの名称が格納されるＲＥ名称フィールド１０４、カントリーエレベーターにおいて発行された証明書の日付が格納される証明日付フィールド１０５、及び当該証明書を識別するための証明書番号が格納される証明書番号フィールド１０６を有している。これらの各フィールド１０１乃至１０６に格納される情報は、バルク輸送される農作物群毎（ロット毎）に、各カントリーエレベーター側にて操作される端末装置２によって入力され、その端末装置２から農作物流通管理装置１に対して送信される。
【００３３】
（Ｂ）ＣＥ情報ＤＢ１３Ｂ
図５は、本発明の実施の形態の農作物流通管理装置１に設けられているＣＥ情報ＤＢ１３Ｂのレイアウトの一例を示す図である。図５に示すように、ＣＥ情報ＤＢ１３Ｂは、第１ロット番号に枝番が付けられた第１ロットＩＤが格納される第１ロットＩＤフィールド１１１、農作物群の生産者である農家の名称が格納される農家名称フィールド１１２、農作物の名称が格納される農作物フィールド１１３、農作物群の生産量が格納される生産量フィールド１１４、農家において発行された証明書の日付が格納される証明日付フィールド１１５、呼び当該証明書を識別するための証明書番号が格納される証明書番号フィールド１１６を有している。なお、同じロットでバルク輸送される農作物群には、枝番のみが異なる第１ロットＩＤが設定される。これらの各フィールド１１１乃至１１６に格納される情報は、各農家から出荷される農作物群毎に、各カントリーエレベーター側にて操作される端末装置２によって入力され、その端末装置２から農作物流通管理装置１に対して送信される。
【００３４】
（Ｃ）ＲＥ情報マスターＤＢ１３Ｃ
図６は、本発明の実施の形態の農作物流通管理装置１に設けられているＲＥ情報マスターＤＢ１３Ｃのレイアウトの一例を示す図である。図６に示すように、ＲＥ情報マスターＤＢ１３Ｃは、バルク輸送の対象である農作物群を識別するための第２ロット番号が格納される第２ロット番号フィールド２０１、搬送元のリバーエレベーターの名称が格納されるＲＥ名称フィールド２０２、搬送元から搬送先へ農作物群が搬送される予定日が格納される搬送予定日フィールド２０３、搬送先のエクスポートエレベーターの名称が格納されるＥＥ名称フィールド２０４、リバーエレベーターにおいて発行された証明書の日付が格納される証明日付フィールド２０５、及び当該証明書を識別するための証明書番号が格納される証明書番号フィールド２０６を有している。これらの各フィールド２０１乃至２０６に格納される情報は、バルク輸送される農作物群毎（ロット毎）に、各リバーエレベーター側にて操作される端末装置２によって入力され、その端末装置２から農作物流通管理装置１に対して送信される。
【００３５】
（Ｄ）ＲＥ情報ＤＢ１３Ｄ
図７は、本発明の実施の形態の農作物流通管理装置１に設けられているＲＥ情報ＤＢ１３Ｄのレイアウトの一例を示す図である。図７に示すように、ＲＥ情報ＤＢ１３Ｄは、第２ロット番号に枝番が付けられた第２ロットＩＤが格納される第２ロットＩＤフィールド２１１、搬送元であるカントリーエレベーターの名称が格納されるＣＥ名称フィールド２１２、カントリーエレベーターの段階で設定された第１ロット番号が格納される第１ロット番号フィールド２１３、カントリーエレベーターで発行された証明書の日付が格納される証明日付フィールド２１４、及び当該証明書を識別するための証明書番号が格納される証明書番号フィールド２１５を有している。なお、同じロットでバルク輸送される農作物群には、枝番のみが異なる第２ロットＩＤが設定される。これらの各フィールド２１１乃至２１５に格納される情報は、カントリーエレベーターから搬送される農作物群毎に、各リバーエレベーター側にて操作される端末装置２によって入力され、その端末装置２から農作物流通管理装置１に対して送信される。
【００３６】
（Ｅ）ＥＥ情報マスターＤＢ１３Ｅ
図８は、本発明の実施の形態の農作物流通管理装置１に設けられているＥＥ情報マスターＤＢ１３Ｅのレイアウトの一例を示す図である。図８に示すように、ＲＥ情報マスターＤＢ１３Ｅは、バルク輸送の対象である農作物群を識別するための第３ロット番号が格納される第３ロット番号フィールド３０１、搬送元のエクスポートエレベーターの名称が格納されるＥＥ名称フィールド３０２、搬送元から搬送先へ農作物群が搬送される予定日が格納される搬送予定日フィールド３０３、搬送先の港湾サイロの名称が格納される港湾サイロ名称フィールド３０４、エクスポートエレベーターにおいて発行された証明書の日付が格納される証明日付フィールド３０５、及び当該証明書を識別するための証明書番号が格納される証明書番号フィールド３０６を有している。これらの各フィールド３０１乃至３０６に格納される情報は、バルク輸送される農作物群毎（ロット毎）に、各エクスポートエレベーター側にて操作される端末装置２によって入力され、その端末装置２から農作物流通管理装置１に対して送信される。
【００３７】
（Ｆ）ＥＥ情報ＤＢ１３Ｆ
図９は、本発明の実施の形態の農作物流通管理装置１に設けられているＥＥ情報ＤＢ１３Ｆのレイアウトの一例を示す図である。図９に示すように、ＥＥ情報ＤＢ１３Ｆは、第３ロット番号に枝番が付けられた第３ロットＩＤが格納される第３ロットＩＤフィールド３１１、搬送元であるリバーエレベーターの名称が格納されるＲＥ名称フィールド３１２、リバーエレベーターの段階で設定された第２ロット番号が格納される第２ロット番号フィールド３１３、リバーエレベーターで発行された証明書の日付が格納される証明日付フィールド３１４、及び当該証明書を識別するための証明書番号が格納される証明書番号フィールド３１５を有している。なお、同じロットでバルク輸送される農作物群には、枝番のみが異なる第３ロットＩＤが設定される。これらの各フィールド３１１乃至３１５に格納される情報は、リバーエレベーターから搬送される農作物群毎に、各エクスポートエレベーター側にて操作される端末装置２によって入力され、その端末装置２から農作物流通管理装置１に対して送信される。
【００３８】
（Ｇ）港湾サイロ情報マスターＤＢ１３Ｇ
図１０は、本発明の実施の形態の農作物流通管理装置１に設けられている港湾サイロ情報マスターＤＢ１３Ｇのレイアウトの一例を示す図である。図１０に示すように、港湾サイロ情報マスターＤＢ１３Ｇは、バルク輸送の対象である農作物群を識別するための第４ロット番号が格納される第４ロット番号フィールド４０１、搬送された農作物群を受けて保管する港湾サイロの名称が格納される港湾サイロ名称フィールド４０２、搬送元であるエクスポートエレベーターで発行された証明書の日付が格納される証明日付フィールド４０３、当該証明書を識別するための証明書番号が格納される証明書番号フィールド４０４、港湾サイロにおいて実施された定量ＰＣＲ（Polymerase Chain Reaction：ポリメラーゼ連鎖反応）法による検査（以下、「定量ＰＣＲ検査」という）により判明した農作物群におけるＧＭ作物の混入率が格納される混入率フィールド４０５、及び当該混入率に基づいて判定された合否結果が格納される合否フィールド４０６を有している。これらの各フィールド４０１乃至４０６に格納される情報は、バルク輸送される農作物群毎（ロット毎）に、各港湾サイロ側にて操作される端末装置２によって入力され、その端末装置２から農作物流通管理装置１に対して送信される。なお、本実施の形態では、ＧＭ作物の混入率が５％以下である場合は合格とし、５％を超える場合は不合格とする。
【００３９】
（Ｈ）港湾サイロ情報ＤＢ１３Ｈ
図１１は、本発明の実施の形態の農作物流通管理装置１に設けられている港湾サイロ情報ＤＢ１３Ｈのレイアウトの一例を示す図である。図１１に示すように、港湾サイロ情報ＤＢ１３Ｈは、第４ロット番号に枝番が付けられた第４ロットＩＤが格納される第４ロットＩＤフィールド４１１、搬送元であるエクスポートエレベーターの名称が格納されるＥＥ名称フィールド４１２、エクスポートエレベーターの段階で設定された第３ロット番号が格納される第３ロット番号フィールド４１３、エクスポートエレベーターで発行された証明書の日付が格納される証明日付フィールド４１４、及び当該証明書を識別するための証明書番号が格納される証明書番号フィールド４１５を有している。なお、同じロットでバルク輸送される農作物群には、枝番のみが異なる第４ロットＩＤが設定される。これらの各フィールド４１１乃至４１５に格納される情報は、エクスポートエレベーターから搬送される農作物群毎に、各港湾サイロ側にて操作される端末装置２によって入力され、その端末装置２から農作物流通管理装置１に対して送信される。
【００４０】
（Ｉ）流通ルート情報ＤＢ１３Ｉ
図１２は、本発明の実施の形態の農作物流通管理装置１に設けられている流通ルート情報ＤＢ１３Ｉのレイアウトの一例を示す図である。図１２に示すように、流通ルート情報ＤＢ１３Ｉは、一の流通ルートに含まれる農家、カントリーエレベーター、リバーエレベーター、エクスポートエレベーター、及び港湾サイロのそれぞれの名称が格納される農家フィールド５０１、ＣＥフィールド５０２、ＲＥフィールド５０３、ＥＥフィールド５０４、及び港湾サイロフィールド５０５と、この流通ルートに対して後述するようにして算出された得点の合計値が格納される得点フィールド５０６とを有している。
【００４１】
［端末装置の動作］
上述したように、カントリーエレベーター、リバーエレベーター、エクスポートエレベーター、及び港湾サイロ側で端末装置２が操作されて各種の情報が入力され、その入力を受け付けた端末装置２がその情報を農作物流通管理装置１に対して送信する。以下、この入力の際に端末装置２の表示画面上に表示される入力画面について説明する。
【００４２】
図１３は、カントリーエレベーター側で操作される端末装置２の表示装置に表示される入力画面例を示す図である。図１３に示すように、この入力画面２０１には、搬送予定日、搬送先のリバーエレベーターの名称、カントリーエレベーターで発行された証明書の証明書番号、及び第１ロット番号を入力するための各入力欄と、この第１ロット番号で識別されるロットでバルク輸送される農作物群の内訳を表示する表示欄２０１Ａとが設けられている。
【００４３】
表示欄２０１Ａには、図１３に示すとおり、農家の名称、農作物の種別、農作物の生産量（出荷量）、並びに農家側で発行された証明書の証明日付及び証明書番号等が表示されている。この表示欄２０１Ａに表示される各情報は、農家側から提供された証明書等に基づいて、別の入力画面を介してカントリーエレベーター側で入力されたものである。なお、この農家側から提供された証明書は、スキャナ装置等によって画像データに変換され、端末装置２が備える記憶装置に当該画像データが記憶される。図１３に示す例では、証明書番号に下線が付されているが、これは当該証明書番号がクリックされた場合に証明書の画像データが表示されることを示している。
【００４４】
カントリーエレベーター側のオペレータは、端末装置２を操作することによって入力画面２０１の各入力欄に対して各情報を入力し、その後、農作物流通管理装置１に対して送信する。農作物流通管理装置１は、カントリーエレベーター側の端末装置２から入力情報を受信した場合、受信した入力情報をＣＥ情報マスターＤＢ１３Ａ及びＣＥ情報ＤＢ１３Ｂに登録する。なお、このときに、表示欄２０１Ａに表示されている各情報及び証明書の画像データも併せて端末装置２から農作物流通管理装置１へ送信され、農作物流通管理装置１にて、ＣＥ情報マスターＤＢ１３Ａ及びＣＥ情報ＤＢ１３Ｂに各情報が登録される。
【００４５】
図１４は、リバーエレベーター側で操作される端末装置２の表示装置に表示される入力画面例を示す図である。図１４に示すように、この入力画面２０２には、搬送予定日、搬送先のエクスポートエレベーターの名称、リバーエレベーターで発行された証明書の証明書番号、及び第２ロット番号を入力するための各入力欄と、この第２ロット番号で識別されるロットでバルク輸送される農作物群の内訳を表示する表示欄２０２Ａとが設けられている。
【００４６】
表示欄２０２Ａには、図１４に示すとおり、カントリーエレベーターの名称、第１ロット番号、並びにカントリーエレベーター側で発行された証明書の証明日付及び証明書番号等が表示されている。この表示欄２０２Ａに表示される各情報は、カントリーエレベーター側から提供された証明書等に基づいて、別の入力画面を介してリバーエレベーター側で入力されたものである。なお、このカントリーエレベーター側から提供された証明書は、上記の場合と同様にして、スキャナ装置等によって画像データに変換され、端末装置２が備える記憶装置に当該画像データが記憶される。
【００４７】
リバーエレベーター側のオペレータは、端末装置２を操作することによって入力画面２０２の各入力欄に対して各情報を入力し、その後、農作物流通管理装置１に対して送信する。農作物流通管理装置１は、リバーエレベーター側の端末装置２から入力情報を受信した場合、受信した入力情報をＲＥ情報マスターＤＢ１３Ｃ及びＲＥ情報ＤＢ１３Ｄに登録する。なお、このときに、表示欄２０２Ａに表示されている各情報及び証明書の画像データも併せて端末装置２から農作物流通管理装置１へ送信され、農作物流通管理装置１にて、ＲＥ情報マスターＤＢ１３Ｃ及びＲＥ情報ＤＢ１３Ｄに各情報が登録される。
【００４８】
図１５は、エクスポートエレベーター側で操作される端末装置２の表示装置に表示される入力画面例を示す図である。図１５に示すように、この入力画面２０３には、搬送予定日、搬送先の港湾サイロの名称、エクスポートエレベーターで発行された証明書の証明書番号、及び第３ロット番号を入力するための各入力欄と、この第３ロット番号で識別されるロットでバルク輸送される農作物群の内訳を表示する表示欄２０３Ａとが設けられている。
【００４９】
表示欄２０３Ａには、図１５に示すとおり、リバーエレベーターの名称、第２ロット番号、並びにリバーエレベーター側で発行された証明書の証明日付及び証明書番号等が表示されている。この表示欄２０３Ａに表示される各情報は、リバーエレベーター側から提供された証明書等に基づいて、別の入力画面を介してエクスポートエレベーター側で入力されたものである。なお、このリバーエレベーター側から提供された証明書は、上記の場合と同様にして、スキャナ装置等によって画像データに変換され、端末装置２が備える記憶装置に当該画像データが記憶される。
【００５０】
エクスポートエレベーター側のオペレータは、端末装置２を操作することによって入力画面２０３の各入力欄に対して各情報を入力し、その後、農作物流通管理装置１に対して送信する。農作物流通管理装置１は、エクスポートエレベーター側の端末装置２から入力情報を受信した場合、受信した入力情報をＥＥ情報マスターＤＢ１３Ｅ及びＥＥ情報ＤＢ１３Ｆに登録する。なお、このときに、表示欄２０３Ａに表示されている各情報及び証明書の画像データも併せて端末装置２から農作物流通管理装置１へ送信され、農作物流通管理装置１にて、ＥＥ情報マスターＤＢ１３Ｅ及びＥＥ情報ＤＢ１３Ｆに各情報が登録される。
【００５１】
図１６は、港湾サイロ側で操作される端末装置２の表示装置に表示される入力画面例を示す図である。図１６に示すように、この入力画面２０４には、搬送予定日、港湾サイロで発行された証明書の証明書番号、及び第４ロット番号を入力するための各入力欄と、この第４ロット番号で識別されるロットでバルク輸送される農作物群の内訳を表示する表示欄２０４Ａとが設けられている。
【００５２】
表示欄２０４Ａには、図１６に示すとおり、エクスポートエレベーターの名称、第３ロット番号、並びにエクスポートエレベーター側で発行された証明書の証明日付及び証明書番号等が表示されている。この表示欄２０４Ａに表示される各情報は、エクスポートエレベーター側から提供された証明書等に基づいて、別の入力画面を介して港湾サイロ側で入力されたものである。なお、このエクスポートエレベーター側から提供された証明書は、上記の場合と同様にして、スキャナ装置等によって画像データに変換され、端末装置２が備える記憶装置に当該画像データが記憶される。
【００５３】
港湾サイロ側のオペレータは、端末装置２を操作することによって入力画面２０４の各入力欄に対して各情報を入力し、その後、農作物流通管理装置１に対して送信する。農作物流通管理装置１は、港湾サイロ側の端末装置２から入力情報を受信した場合、受信した入力情報を港湾サイロ情報マスターＤＢ１３Ｇ及び港湾サイロ情報ＤＢ１３Ｈに登録する。なお、このときに、表示欄２０４Ａに表示されている各情報及び証明書の画像データも併せて端末装置２から農作物流通管理装置１へ送信され、農作物流通管理装置１にて、港湾サイロ情報マスターＤＢ１３Ｇ及び港湾サイロ情報ＤＢ１３Ｈに各情報が登録される。
【００５４】
［農作物流通管理装置の動作］
次に、上述したように構成された農作物流通管理装置１の動作について、フローチャート等を参照しながら説明する。なお、本実施の形態の農作物流通管理装置１が実行する主な処理には、（１）流通ルート情報ＤＢ１３Ｉを更新するための流通ルート情報更新処理、（２）農家、カントリーエレベーター、リバーエレベーター及びエクスポートエレベーターの良否を判定するための良否判定処理、（３）優良な流通ルートを探すための優良流通ルート探索処理、及び（４）農家向けのレポート情報を生成するための農家向けレポート情報生成処理がある。以下では、これらの各処理の詳細について説明する。
【００５５】
（１）流通ルート情報更新処理
図１７は、本発明の実施の形態の農作物流通管理装置１が実行する流通ルート情報更新処理の手順を示すフローチャートである。なお、以下の流通ルート情報更新処理は、例えば港湾サイロにて定量ＰＣＲ検査が実行された場合に港湾サイロ情報マスターＤＢ１３Ｇに混入率及び合否の情報が登録される都度等、所定のタイミングで実行される。
【００５６】
農作物流通管理装置１はまず、港湾サイロ情報マスターＤＢ１３Ｇを参照し、合否判定の結果不合格となったケース、すなわちＧＭ作物の混入率が５％を超えると判定されたケースを処理対象とし、その処理対象の第４ロット番号及び港湾サイロを特定する（Ｓ１０１）。例えば、図１０に示す例の場合、合否判定の結果不合格となっているのは第４ロット番号が“１５９”となっているケースであるため、ステップＳ１０１では第４ロット番号として“１５９”が、港湾サイロとして“ＫＫＫサイロ”がそれぞれ特定されることになる。
【００５７】
次に、農作物流通管理装置１は、ステップＳ１０１にて特定した第４ロット番号を含む第４ロットＩＤを有するケースを港湾サイロ情報ＤＢ１３Ｈから検索し、そのケースの第３ロット番号及びエクスポートエレベーターを特定する（Ｓ１０２）。例えば、図１１に示す例の場合、ステップＳ１０１にて特定された“１５９”を含む第４ロットＩＤを有するケースとして第４ロットＩＤが“１５９−０１”であるケースが検索され、そのケースの第３ロット番号“２５３３”及びエクスポートエレベーター“ＧＧＧＥＥ”がステップＳ１０２にて特定されることになる。
【００５８】
次に、農作物流通管理装置１は、ステップＳ１０２の場合と同様にして、特定した第３ロット番号を含む第３ロットＩＤを有するケースをＥＥ情報ＤＢ１３Ｆから検索し、そのケースの第２ロット番号及びリバーエレベーターを特定する（Ｓ１０３）。さらに、農作物流通管理装置１は、特定した第２ロット番号を含む第２ロットＩＤを有するケースをＲＥ情報ＤＢ１３Ｄから検索し、そのケースの第１ロット番号及びカントリーエレベーターを特定する（Ｓ１０４）。例えば、図７及び図９に示す例の場合、ステップＳ１０３にて第２ロット番号“３７９９５”及びリバーエレベーター“ＤＤＤＲＥ”が特定され、ステップＳ１０４にて第１ロット番号“８２５０２３４”及びカントリーエレベーター“ＡＡＡＣＥ”が特定されることになる。
【００５９】
次に、農作物流通管理装置１は、ステップＳ１０４にて特定した第１ロット番号を含む第１ロットＩＤを有するケースをＣＥ情報ＤＢ１３Ｂから検索し、そのケースの農家を特定する（Ｓ１０５）。例えば、図５に示す例の場合、第１ロットＩＤが“８２５０２３４−０１”であるケースが検索され、そのケースの農家“○○○○○”がステップＳ１０５にて特定されることになる。
【００６０】
なお、ステップＳ１０４にて特定した第１ロット番号を含む第１ロットＩＤが複数ある場合は、ステップＳ１０５が複数回繰り返されて、当該第１ロットＩＤを有するすべてのケースの農家が特定される。
【００６１】
農作物流通管理装置１は、上述した各ステップにより特定された農家、カントリーエレベーター、リバーエレベーター、エクスポートエレベーター、及び港湾サイロを、同じく特定された第１乃至第４ロット番号に係る農作物群の流通ルートとして特定する（Ｓ１０６）。そして、農作物流通管理装置１は、特定した流通ルートに含まれる農家、カントリーエレベーター、リバーエレベーター、エクスポートエレベーター、及び港湾サイロを検索キーとして流通ルート情報ＤＢ１３Ｉを検索し、検索された流通ルート情報の得点フィールド５０６の値に１ポイント加算することにより流通ルート情報ＤＢ１３Ｉを更新する（Ｓ１０７）。これにより、定量ＰＣＲ検査の結果不合格と判定された農作物群の流通ルートに対して得点（ペナルティ）が与えられることになる。
【００６２】
次に、農作物流通管理装置１は、ステップＳ１０３にて特定した第２ロット番号を含む第２ロットＩＤを有するすべてのケースの第１ロット番号が特定されたか否かを判定する（Ｓ１０８）。ここで、まだ特定されていない第１ロット番号があると判定した場合（Ｓ１０８でＮＯ）、ステップＳ１０４に戻り、ステップＳ１０３にて特定した第２ロット番号を含む他の第２ロットＩＤを有するケースをＲＥ情報ＤＢ１３Ｄから検索し、そのケースの第１ロット番号及びカントリーエレベーターを特定する（Ｓ１０４）。以降、ステップＳ１０５乃至Ｓ１０７が実行される。
【００６３】
ステップＳ１０８において、すべての第１ロット番号が特定されたと判定した場合（Ｓ１０８でＹＥＳ）、農作物流通管理装置１は、ステップＳ１０２にて特定した第３ロット番号を含む第３ロットＩＤを有するすべてのケースの第２ロット番号が特定されたか否かを判定する（Ｓ１０９）。ここで、まだ特定されていない第２ロット番号があると判定した場合（Ｓ１０９でＮＯ）、ステップＳ１０３に戻り、ステップＳ１０２にて特定した第３ロット番号を含む他の第３ロットＩＤを有するケースをＥＥ情報ＤＢ１３Ｆから検索し、そのケースの第２ロット番号及びリバーエレベーターを特定する（Ｓ１０３）。以降、ステップＳ１０４乃至Ｓ１０８が実行される。
【００６４】
ステップＳ１０９において、すべての第２ロット番号が特定されたと判定した場合（Ｓ１０９でＹＥＳ）、農作物流通管理装置１は、ステップＳ１０１にて特定した第４ロット番号を含む第４ロットＩＤを有するすべてのケースの第３ロット番号が特定されたか否かを判定する（Ｓ１１０）。ここで、まだ特定されていない第３ロット番号があると判定した場合（Ｓ１１０でＮＯ）、ステップＳ１０２に戻り、ステップＳ１０１にて特定した第
４ロット番号を含む他の第４ロットＩＤを有するケースを港湾サイロ情報ＤＢ１３Ｈから検索し、そのケースの第３ロット番号及びエクスポートエレベーターを特定する（Ｓ１０２）。以降、ステップＳ１０３乃至Ｓ１０９が実行される。
【００６５】
ステップＳ１１０において、すべての第３ロット番号が特定されたと判定した場合（Ｓ１１０でＹＥＳ）、農作物流通管理装置１は処理を終了する。その結果、ステップＳ１０１において処理対象として特定した第４ロット番号の農作物群に含まれるすべての農作物群の流通ルートが特定され、それらの流通ルートに対して得点が与えられることになる。
【００６６】
（２）良否判定処理
本実施の形態では、農家、カントリーエレベーター、リバーエレベーター及びエクスポートエレベーターのそれぞれの良否の判定を行う農家良否判定処理、ＣＥ良否判定処理、ＲＥ良否判定処理及びＥＥ良否判定処理を実行する。後述するように、これらの各良否判定処理の内容は同様であるが、各処理における閾値は異なっている。
【００６７】
図１８は、本発明の実施の形態の農作物流通管理装置１が実行する農家良否判定処理の手順を示すフローチャートである。図１８に示すとおり、農作物流通管理装置１はまず、複数の農家の中から農家良否判定処理の対象となる農家を特定する（Ｓ２０１）。次に、農作物流通管理装置１は、その特定した農家を含む流通ルートに係る流通ルート情報を流通ルート情報ＤＢ１３Ｉから抽出し、それらの流通ルート情報の得点フィールド５０６の値を足し合わせることによって当該農家のポイントを集計する（Ｓ２０２）。
【００６８】
次に、農作物流通管理装置１は、ステップＳ２０２にて集計されたポイントが、農家良否判定のために予め設定された閾値（以下、「農家閾値」という）以上であるか否かを判定する（Ｓ２０３）。農作物流通管理装置１は、集計ポイントが農家閾値以上であると判定した場合（Ｓ２０３でＹＥＳ）は処理対象の農家を、ＧＭ作物を混入した可能性が高い不良農家に設定し（Ｓ２０４）、また、集計ポイントが農家閾値未満であると判定した場合（Ｓ２０３でＮＯ）は当該農家を優良農家に設定する（Ｓ２０５）。
【００６９】
図１９は、本発明の実施の形態の農作物流通管理装置１が実行するＣＥ良否判定処理の手順を示すフローチャートである。図１９に示すとおり、農作物流通管理装置１はまず、複数のカントリーエレベーター（ＣＥ）の中から農家良否判定処理の対象となるカントリーエレベーターを特定する（Ｓ３０１）。次に、農作物流通管理装置１は、その特定したカントリーエレベーターを含む流通ルートに係る流通ルート情報を流通ルート情報ＤＢ１３Ｉから抽出し、それらの流通ルート情報の得点フィールド５０６の値を足し合わせることによって当該カントリーエレベーターのポイントを集計する（Ｓ３０２）。
【００７０】
次に、農作物流通管理装置１は、ステップＳ３０２にて集計されたポイントが、ＣＥ良否判定のために予め設定された閾値（以下、「ＣＥ閾値」という）以上であるか否かを判定する（Ｓ３０３）。農作物流通管理装置１は、集計ポイントがＣＥ閾値以上であると判定した場合（Ｓ３０３でＹＥＳ）は処理対象のカントリーエレベーターを、ＧＭ作物を混入した可能性が高い不良ＣＥに設定し（Ｓ３０４）、また、集計ポイントがＣＥ閾値未満であると判定した場合（Ｓ３０３でＮＯ）は当該カントリーエレベーターを優良ＣＥに設定する（Ｓ３０５）。
【００７１】
図２０は、本発明の実施の形態の農作物流通管理装置１が実行するＲＥ良否判定処理の手順を示すフローチャートである。図２０に示すとおり、農作物流通管理装置１はまず、複数のリバーエレベーター（ＲＥ）の中から農家良否判定処理の対象となるリバーエレベーターを特定する（Ｓ４０１）。次に、農作物流通管理装置１は、その特定したリバーエレベーターを含む流通ルートに係る流通ルート情報を流通ルート情報ＤＢ１３Ｉから抽出し、それらの流通ルート情報の得点フィールド５０６の値を足し合わせることによって当該リバーエレベーターのポイントを集計する（Ｓ４０２）。
【００７２】
次に、農作物流通管理装置１は、ステップＳ４０２にて集計されたポイントが、ＲＥ良否判定のために予め設定された閾値（以下、「ＲＥ閾値」という）以上であるか否かを判定する（Ｓ４０３）。農作物流通管理装置１は、集計ポイントがＲＥ閾値以上であると判定した場合（Ｓ４０３でＹＥＳ）は処理対象のリバーエレベーターを、ＧＭ作物を混入した可能性が高い不良ＲＥに設定し（Ｓ４０４）、また、集計ポイントがＲＥ閾値未満であると判定した場合（Ｓ４０３でＮＯ）は当該リバーエレベーターを優良ＲＥに設定する（Ｓ４０５）。
【００７３】
図２１は、本発明の実施の形態の農作物流通管理装置１が実行するＥＥ良否判定処理の手順を示すフローチャートである。図２１に示すとおり、農作物流通管理装置１はまず、複数のエクスポートエレベーター（ＥＥ）の中から農家良否判定処理の対象となるエクスポートエレベーターを特定する（Ｓ５０１）。次に、農作物流通管理装置１は、その特定したエクスポートエレベーターを含む流通ルートに係る流通ルート情報を流通ルート情報ＤＢ１３Ｉから抽出し、それらの流通ルート情報の得点フィールド５０６の値を足し合わせることによって当該エクスポートエレベーターのポイントを集計する（Ｓ５０２）。
【００７４】
次に、農作物流通管理装置１は、ステップＳ５０２にて集計されたポイントが、ＥＥ良否判定のために予め設定された閾値（以下、「ＥＥ閾値」という）以上であるか否かを判定する（Ｓ５０３）。農作物流通管理装置１は、集計ポイントがＥＥ閾値以上であると判定した場合（Ｓ５０３でＹＥＳ）は処理対象のエクスポートエレベーターを、ＧＭ作物を混入した可能性が高い不良ＥＥに設定し（Ｓ５０４）、また、集計ポイントがＥＥ閾値未満であると判定した場合（Ｓ５０３でＮＯ）は当該エクスポートエレベーターを優良ＥＥに設定する（Ｓ５０５）。
【００７５】
ところで、上述したとおり、上記の各良否判定処理における各閾値は異なる値が設定されており、具体的には、農家閾値＜ＣＥ閾値＜ＲＥ閾値＜ＥＥ閾値の関係を有している。すなわち、例えば農家閾値＝２、ＣＥ閾値＝１０、ＲＥ閾値＝１５、ＥＥ閾値＝３０等のように設定される。本実施の形態のように、流通ルートの下流側（港湾サイロ側）に位置するほどその数が少なくなる場合、下流側に位置するほど多くの流通ルートに含まれることになるので得点が高くなる傾向にある。そのため、各閾値を同一の値とすると、すなわち同一の判定基準で判定すると、下流側に位置するほど不良と判定され易くなるという不都合が生じ得る。したがって、下流側に位置するほど緩い判定基準で不良か否かを判定し、上流側に位置するほど厳しい判定基準で不良か否かを判定することが好ましい。本実施の形態では、農家閾値＜ＣＥ閾値＜ＲＥ閾値＜ＥＥ閾値が成立するように各閾値を設定することによって、上流側は厳しい判定基準で、下流側は緩い判定基準で判定を行うようにしている。これにより、より一層適切な良否判定を実現することができる。
【００７６】
なお、農作物流通管理装置１は、上述したようにして良否判定が行われた結果を示す情報を、各端末装置２，２，…に送信するようにしてもよい。これにより、各農家、カントリーエレベーター、リバーエレベーター及びエクスポートエレベーターは、自らがどのように評価されたのか、また、他の農家、カントリーエレベーター、リバーエレベーター及びエクスポートエレベーターがどのように評価されたのか等を確認することができる。
【００７７】
（３）優良流通ルート探索処理
図２２は、本発明の実施の形態の農作物流通管理装置１が実行する優良流通ルート探索処理の手順を示すフローチャートである。図２２に示すように、農作物流通管理装置１は、流通ルート情報ＤＢ１３Ｉを参照し、得点フィールド５０６の値が所定の閾値（例えば、“０”等）以下の流通ルートを抽出する（Ｓ６０１）。そして、農作物流通管理装置１は、その抽出した流通ルートを優良な流通ルートに設定し（Ｓ６０２）、その優良流通ルートを示す優良流通ルート情報を生成する（Ｓ６０３）。
【００７８】
このようにして生成された優良流通ルート情報は、農作物流通管理装置１から各端末装置２，２，…へ送信される。これにより、各農家、カントリーエレベーター、リバーエレベーター及びエクスポートエレベーターは、優良な流通ルートを確認することができ、どの相手に対して搬送すべきか等の判断基準を得ることができる。
【００７９】
（４）農家向けレポート情報生成処理
図２３は、本発明の実施の形態の農作物流通管理装置１が実行する農家向けレポート情報生成処理の手順を示すフローチャートである。図２３に示すように、農作物流通管理装置１はまず、複数の農家の中から農家向けレポート情報生成処理の対象となる農家を特定する（Ｓ７０１）。次に、農作物流通管理装置１は、その特定した農家を含む流通ルートに係る流通ルート情報を流通ルート情報ＤＢ１３Ｉから抽出し、それらの流通ルート情報に含まれるカントリーエレベーター、リバーエレベーター、エクスポートエレベーター、及び港湾サイロを特定する（Ｓ７０２）。最後に、農作物流通管理装置１は、特定したカントリーエレベーター、リバーエレベーター、エクスポートエレベーター、及び港湾サイロに関する情報を、ＣＥ情報マスターＤＢ１３Ａ、ＣＥ情報ＤＢ１３Ｂ、ＲＥ情報マスターＤＢ１３Ｃ、ＲＥ情報ＤＢ１３Ｄ、ＥＥ情報マスターＤＢ１３Ｅ、ＥＥ情報ＤＢ１３Ｆ、港湾サイロ情報マスターＤＢ１３Ｇ、港湾サイロ情報ＤＢ１３Ｈ、及び流通ルート情報ＤＢ１３Ｉから抽出し、抽出した情報を用いて農家向けレポート情報を生成する（Ｓ７０３）。このようにして生成された農家向けレポート情報は、農作物流通管理装置１から当該農家側の端末装置２へ送信される。なお、農家向けレポート情報が紙媒体に印刷された後に当該農家宛に郵送等されるようにしてもよい。
【００８０】
図２４は、上記の農家向けレポート情報生成処理の結果生成された農家向けレポート情報の一例を示す図である。図２４に示すとおり、この農家向けレポート情報には、当該情報が提供される農家の出荷年月日及び出荷量並びにその出荷に対して当該農家において発行された証明書の証明日付及び証明書番号と、その出荷分を取り扱ったカントリーエレベーター、リバーエレベーター、エクスポートエレベーター並びに港湾サイロの名称、出荷年月日、出荷量、証明書の証明日付及び証明書番号と、定量ＰＣＲ検査により得られたＧＭ作物の混入率及び合否判定の結果とが含まれている。
【００８１】
このように、輸入国の港湾サイロでの検証結果を含む各種の情報を輸出国の農家に提供することによって、当該農家は当該輸入国への輸出の是非を判断することが可能となる。
【００８２】
なお、上述したように、本実施の形態では、流通ルート情報更新処理において不合格と判定された流通ルートに対して一律１ポイントの得点を与えているが、各種の情報に基づいて与えるポイントを適宜増減させることが考えられる。以下では、そのようにポイントを増減させる場合の２つの例について、図２５及び図２６のフローチャートを参照しながら説明する。なお、図２５及び図２６において、ステップＳ１０１乃至Ｓ１０６及びステップＳ１０８乃至Ｓ１１０については図１７を参照して上述した場合と同様であるため、同一符号を付して説明を省略する。
【００８３】
（１ａ）ＧＭ作物の搬出の履歴を用いる例
この例において、ＲＥ情報ＤＢ１３Ｄには、カントリーエレベーターにて前回搬出した農作物群がＧＭ作物、非ＧＭ作物及び肥料の何れであるのかを示す農作物区分がレコード毎に記憶されている。同様にして、ＥＥ情報ＤＢ１３Ｆ及び港湾サイロ情報ＤＢ１３Ｈにはそれぞれ、リバーエレベーター及びエクスポートエレベーターにて前回搬出した農作物群の農作物区分がレコード毎に記憶されている。また、図１２に示す流通ルート情報ＤＢ１３Ｉは流通ルート毎に得点を記憶する構成であるが、この例においては、農家、カントリーエレベーター、リバーエレベーター、エクスポートエレベーター、及び港湾サイロ毎に得点が記憶できるようにそれぞれに対して得点フィールドが設けられているものとする。
【００８４】
図２５に示すように、農作物流通管理装置１は、ステップＳ１０６にて特定した流通ルートに含まれるカントリーエレベーター、リバーエレベーター及びエクスポートエレベーターの農作物区分を参照し（Ｓ８０１）、前回ＧＭ作物を搬出したエレベーターの有無を判定する（Ｓ８０２）。ここで、前回ＧＭ作物を搬出したエレベーターがあると判定した場合（Ｓ８０２でＹＥＳ）、農作物流通管理装置１は、その前回ＧＭ作物を搬出したエレベーターの得点フィールドの値に１．５ポイントを加算し、当該流通ルートに含まれるその他のエレベーター並びに農家及び港湾サイロの得点フィールドの値に１ポイント加算する（Ｓ８０３）。他方、前回ＧＭ作物を搬出したエレベーターはないと判定した場合（Ｓ８０２でＮＯ）、農作物流通管理装置１は、当該流通ルートに含まれる農家、カントリーエレベーター、リバーエレベーター、エクスポートエレベーター、及び港湾サイロのすべての得点フィールドの値に１ポイント加算する（Ｓ８０４）。
【００８５】
前回の搬出においてＧＭ作物を取り扱った場合、今回の搬出に係る農作物群にＧＭ作物が混入する可能性が高いと考えられる。そのため、上述したようにＧＭ作物を前回搬出したエレベーターに対しては他よりも高い得点を与えることにより、その後により適切な良否判定を行うことが可能になる。なお、ここでは、ステップＳ８０３において前回ＧＭ作物を搬出したエレベーター以外に対して１ポイントを与えているが、より低いポイント（例えば０．５ポイント）を与えるようにしてもよい。また、前回ではなく前々回の搬出においてＧＭ作物を取り扱ったエレベーターに対しては１．３ポイント（前回及び前々回の搬出においてＧＭ作物を取り扱っていないエレベーターに対して与えられるポイントよりは高く、前回の搬出においてＧＭ作物を取り扱ったエレベーターに対して与えられるポイントよりは低いポイント）を与える等、ＧＭ作物の搬出履歴に応じて適宜ポイントを与えるようにしてもよい。
【００８６】
（１ｂ）クリーニング実施の履歴を用いる例
この例において、ＲＥ情報ＤＢ１３Ｄには、カントリーエレベーターにて前回の搬出後にクリーニングが実施されたか否かを示すクリーニング情報がレコード毎に記憶されている。同様にして、ＥＥ情報ＤＢ１３Ｆ及び港湾サイロ情報ＤＢ１３Ｈにはそれぞれ、リバーエレベーター及びエクスポートエレベーターのクリーニング情報がレコード毎に記憶されている。また、図１２に示す流通ルート情報ＤＢ１３Ｉは流通ルート毎に得点を記憶する構成であるが、この例においても、農家、カントリーエレベーター、リバーエレベーター、エクスポートエレベーター、及び港湾サイロ毎に得点が記憶できるようにそれぞれに対して得点フィールドが設けられているものとする。
【００８７】
図２６に示すように、農作物流通管理装置１は、ステップＳ１０６にて特定した流通ルートに含まれるカントリーエレベーター、リバーエレベーター及びエクスポートエレベーターのクリーニング情報を参照し（Ｓ９０１）、前回搬出後にクリーニングを実施したエレベーターの有無を判定する（Ｓ９０２）。ここで、当該クリーニングを実施したエレベーターがあると判定した場合（Ｓ９０２でＹＥＳ）、農作物流通管理装置１は、そのクリーニングを実施したエレベーターの得点フィールドの値に０．５ポイントを加算し、当該流通ルートに含まれるその他のエレベーター並びに農家及び港湾サイロの得点フィールドの値に１ポイント加算する（Ｓ９０３）。他方、前回搬出後にクリーニングを実施したエレベーターはないと判定した場合（Ｓ９０２でＮＯ）、農作物流通管理装置１は、当該流通ルートに含まれる農家、カントリーエレベーター、リバーエレベーター、エクスポートエレベーター、及び港湾サイロのすべての得点フィールドの値に１ポイント加算する（Ｓ９０４）。
【００８８】
前回の搬出後にクリーニングを実施した場合、今回の搬出に係る農作物群にＧＭ作物が混入する可能性が低いと考えられる。そのため、上述したように前回搬出後にクリーニングを実施したエレベーターに対しては他よりも低い得点を与えることにより、その後により適切な良否判定を行うことが可能になる。なお、ここでは、ステップＳ９０３において前回搬出後にクリーニングを実施したエレベーター以外に対して１ポイントを与えているが、より高いポイント（例えば１．５ポイント）を与えるようにしてもよい。また、前回ではなく前々回の搬出後にクリーニングを実施したエレベーターに対しては０．８ポイント（前回及び前々回の搬出後にクリーニングを実施していないエレベーターに対して与えられるポイントよりは低く、前回の搬出後にクリーニングを実施したエレベーターに対して与えられるポイントよりは高いポイント）を与える等、クリーニングの実施履歴に応じて適宜ポイントを与えるようにしてもよい。
【００８９】
（その他の実施の形態）
本実施の形態では、ＧＭ作物の混入率が５％を超えた場合にのみ得点を与えているが、例えば当該混入率が３％を超えた場合であって４％以下のときには０．５ポイントを、同じく４％を超えた場合であって５％以下のときには０．８ポイントをそれぞれ与える等、より細かな範囲で段階的に得点を与えるようにしてもよい。
【００９０】
また、輸出国（本実施の形態の場合では米国）及び／又は輸入国（本実施の形態では日本）で認可されていないＧＭ作物が港湾サイロにおいて検出された場合は、より高いポイントを与える等の処理を行うようにしてもよい。
【産業上の利用可能性】
【００９１】
本発明の農作物流通管理方法及び農作物流通管理装置は、ＩＰハンドリングに基づいて農作物の流通を管理するための農作物流通管理方法及び農作物流通管理装置等として有用である。
【符号の説明】
【００９２】
１  農作物流通管理装置
２  端末装置
１０  ＣＰＵ
１１  ＲＯＭ
１２  ＲＡＭ
１３  ハードディスク
１３Ａ  ＣＥ情報マスターデータベース
１３Ｂ  ＣＥ情報データベース
１３Ｃ  ＲＥ情報マスターデータベース
１３Ｄ  ＲＥ情報データベース
１３Ｅ  ＥＥ情報マスターデータベース
１３Ｆ  ＥＥ情報データベース
１３Ｇ  港湾サイロ情報マスターデータベース
１３Ｈ  港湾サイロ情報データベース
１３Ｉ  流通ルート情報データベース
１４  入出力インタフェース
１５  画像出力インタフェース
１６  通信インタフェース
１７  バス
１０１  入力部
１０２  ディスプレイ
ＮＴＷ  通信ネットワーク
【図１】
0005626983.tif 000002
【図２】
0005626983.tif 000003
【図３】
0005626983.tif 000004
【図４】
0005626983.tif 000005
【図５】
0005626983.tif 000006
【図６】
0005626983.tif 000007
【図７】
0005626983.tif 000008
【図８】
0005626983.tif 000009
【図９】
0005626983.tif 000010
【図１０】
0005626983.tif 000011
【図１１】
0005626983.tif 000012
【図１２】
0005626983.tif 000013
【図１３】
0005626983.tif 000014
【図１４】
0005626983.tif 000015
【図１５】
0005626983.tif 000016
【図１６】
0005626983.tif 000017
【図１７】
0005626983.tif 000018
【図１８】
0005626983.tif 000019
【図１９】
0005626983.tif 000020
【図２０】
0005626983.tif 000021
【図２１】
0005626983.tif 000022
【図２２】
0005626983.tif 000023
【図２３】
0005626983.tif 000024
【図２４】
0005626983.tif 000025
【図２５】
0005626983.tif 000026
【図２６】
0005626983.tif 000027